(57)【要約】検索推薦情報を提供するための方法及び装置を提供する。この方法は、ユーザがユーザ装置上で検索を行う場合に、上記ユーザに対応する検索参照情報を取得するステップＳ１と、上記検索参照情報に基づいて、上記ユーザに対応する検索要求情報を確定するステップＳ２と、上記検索要求情報に基づいて、相応の検索推薦情報を提供するステップＳ３を含む。従来の技術と比較して、ユーザ装置中の情報ストリームデータに基づいて、ユーザの検索要求を確定し、相応の検索推薦情報を提供して、取得した検索推薦情報がその現在の検索ニーズにさらに適合されるようにすることにより、ユーザにより入力された検索情報のみに基づいて検索を行う従来の方法から脱して、検索効率を向上させ、推薦情報の正確性を向上させる利点を備える。【選択図】図１
2019511792.tif 000002
【特許請求の範囲】
【請求項１】
検索推薦情報を提供するための方法であって、
ユーザがユーザ装置上で検索を行う場合に、前記ユーザに対応する検索参照情報を取得するステップであって、前記検索参照情報は、ユーザ装置内の１つまたは複数のアプリケーションに対応する情報ストリームデータを含む、ステップと、
前記検索参照情報に基づいて、前記ユーザに対応する検索要求情報を確定するステップと、
前記検索要求情報に基づいて、相応の検索推薦情報を提供するステップとを含むことを特徴とする検索推薦情報を提供するための方法。
【請求項２】
前記ユーザ装置で生成された１つまたは複数の情報ストリームデータを収集し、前記１つまたは複数の情報ストリームデータに基づいて、相応の検索参照情報を取得し記憶するステップを含むことを特徴とする請求項１に記載の検索推奨情報を提供するための方法。
【請求項３】
前記ユーザ装置で生成された１つまたは複数の情報ストリームデータを収集するステップは、
ユーザの権限付与設定操作を取得し、ユーザ権限が付与された場合に、前記ユーザ装置で生成された１つまたは複数の情報ストリームデータを収集するステップを含むことを特徴とする請求項２に記載の検索推薦情報を提供するための方法。
【請求項４】
所定のフォーム情報に基づいて、収集された各情報ストリームデータを整理して、前記各情報ストリームデータに対応するラベル情報を取得して検索参照情報とする、ステップを含むことを特徴とする請求項２又は請求項３に記載の検索推薦情報を提供するための方法。
【請求項５】
前記ラベル情報は、
時間情報、
類別情報、
ソース情報、
内容の要約情報、および
意図情報のうち少なくとも一つの情報を含むことを特徴とする請求項４に記載の検索推薦情報を提供するための方法。
【請求項６】
前記検索参照情報に基づいて、前記ユーザに対応する検索要求情報を確定するステップは、
前記ユーザのユーザ関連情報と前記検索参照情報に基づいて、前記ユーザに対応する検索要求情報を確定するステップを含むことを特徴とする請求項１に記載の検索推薦情報を提供するための方法。
【請求項７】
前記検索参照情報に基づいて、前記ユーザに対応する検索要求情報を確定するステップは、
前記ユーザに対応する検索要求情報として、前記検索参照情報から１つまたは複数のキーワードを抽出するステップを含むことを特徴とする請求項１に記載の検索推薦情報を提供するための方法。
【請求項８】
前記検索参照情報に基づいて、前記ユーザに対応する検索要求情報を確定するステップは、
複数の候補検索要求情報を取得した場合に、所定の重み算出ルールに基づいて、各候補検索要求の重み情報を算出するステップと、
前記各候補検索要求の重み情報に基づいて、各候補検索要求情報に対して順序配列を行い、配列された順序が前である少なくとも一つの候補検索要求情報を選択するステップとを含むことを特徴とする請求項１に記載の検索推奨情報を提供するための方法。
【請求項９】
前記検索要求情報に基づいて、相応の検索推薦情報を提供するステップは、
前記検索要求情報に基づいて、前記検索要求情報に対応する１つまたは複数の拡張照会情報を確定するステップと、
前記１つまたは複数の拡張照情報に基づいて検索を行って、相応の検索推薦情報を取得するステップとを含むことを特徴とする請求項１に記載の検索推薦情報を提供するための方法。
【請求項１０】
前記検索要求情報に基づいて、前記検索要求情報に対応する１つまたは複数の拡張照会情報を確定するステップは、
ユーザが選択するように、前記１つまたは複数の拡張照会情報を前記ユーザに提供するステップを含み、
前記１つまたは複数の拡張照情報に基づいて検索を行って、相応の検索推薦情報を取得するステップは、
ユーザにより選択された拡張照情報に基づいて検索を行って、相応の検索推薦情報を取得するステップをさらに含むことを特徴とする請求項９に記載の検索推薦情報を提供するための方法。
【請求項１１】
検索結果を提供するための提供装置であって、
ユーザがユーザ装置上で検索を行う場合に、前記ユーザに対応する検索参照情報を取得するように構築される装置であって、前記検索参照情報は、ユーザ装置内の１つまたは複数のアプリケーションに対応する情報ストリームデータを含む、装置と、
前記検索参照情報に基づいて、前記ユーザに対応する検索要求情報を確定するように構築された装置と、
前記検索要求情報に基づいて、相応の検索推薦情報を提供するように構築された装置とを含むことを特徴とする検索推薦情報を提供するための提供装置。
【請求項１２】
前記ユーザ装置で生成された１つまたは複数の情報ストリームデータを収集し、前記１つまたは複数の情報ストリームデータに基づいて、相応の検索参照情報を取得し記憶するように構築された装置を含むことを特徴とする請求項１１に記載の提供装置。
【請求項１３】
前記ユーザ装置で生成された１つまたは複数の情報ストリームデータを収集し、前記１つまたは複数の情報ストリームデータに基づいて、相応の検索参照情報を取得して記憶するように構築された装置は、
ユーザの権限付与設定操作を取得し、ユーザ権限が付与された場合に、前記ユーザ装置で生成された１つまたは複数の情報ストリームデータを収集するように構築された装置を含むことを特徴とする請求項１２に記載の提供装置。
【請求項１４】
所定のフォーム情報に基づいて、収集された各情報ストリームデータを整理して、前記各情報ストリームデータに対応するラベル情報を取得して検索参照情報とする、ように構築された装置を含むことを特徴とする請求項１２又は第１３項に記載の提供装置。
【請求項１５】
前記ラベル情報は、
時間情報、
類別情報、
ソース情報、
内容の要約情報、および
意図情報のうち少なくとも一つの情報を含むことを特徴とする請求項１４に記載の提供装置。
【請求項１６】
前記検索参照情報に基づいて、前記ユーザに対応する検索要求情報を確定するように構築された装置は、
前記ユーザのユーザ関連情報と前記検索参照情報に基づいて、前記ユーザに対応する検索要求情報を確定するステップを含むことを特徴とする請求項１１に記載の提供装置。
【請求項１７】
前記検索参照情報に基づいて、前記ユーザに対応する検索要求情報を確定するように構築された装置は、
前記ユーザに対応する検索要求情報として、前記検索参照情報から１つまたは複数のキーワードを抽出するように、構築されることを特徴とする請求項１１に記載の提供装置。
【請求項１８】
前記検索参照情報に基づいて、前記ユーザに対応する検索要求情報を確定するように構築された装置は、
複数の候補検索要求情報を取得する場合に、所定の重み算出ルールに基づいて、各候補検索要求の重み情報を算出するように構築された装置と、
前記各候補検索要求の重み情報に基づいて、各候補検索要求情報に対して順序配列を行い、配列された順序が前である少なくとも一つの候補検索要求情報を選択するように構築された装置とを含むことを特徴とする請求項１１に記載の提供装置。
【請求項１９】
前記検索要求情報に基づいて、相応の検索推薦情報を提供するように構築された装置は、
前記検索要求情報に基づいて、前記検索要求情報に対応する１つまたは複数の拡張照会情報を確定するように構築された装置と、
前記１つまたは複数の拡張照情報に基づいて検索を行って、相応の検索推薦情報を取得するように構築された装置とを含むことを特徴とする請求項１１に記載の提供装置。
【請求項２０】
前記検索要求情報に基づいて、前記検索要求情報に対応する１つまたは複数の拡張照会情報を確定するように構築された装置は、
ユーザが選択するように、前記１つまたは複数の拡張照会情報を前記ユーザに提供するように構築された装置を含み、
前記検索要求情報に基づいて、前記検索要求情報に対応する１つまたは複数の拡張照会情報を確定する装置は、
ユーザにより選択された拡張照会情報に基づいて検索を行って、相応の検索推薦情報を取得するように、さらに構築されることを特徴とする請求項１９に記載の方法。
【請求項２１】
コンピュータコードが記憶されているコンピュータ読み取り可能な媒体であって、
前記コンピュータコードが実行される場合には、請求項１から請求項１０のうちいずれか１項に記載の方法が実行されることを特徴とするコンピュータ読み取り可能な媒体。
【請求項２２】
コンピュータ装置により実行されると、請求項１から請求項１０のうちいずれか１項に記載の方法を実現することを特徴とするコンピュータプログラム製品。
【請求項２３】
記憶装置と、
プロセッサとを含み、
前記記憶装置には、コンピュータコードが記憶され、
前記プロセッサは、前記コンピュータコードを実行して、請求項１から請求項１０のうちいずれか１項に記載の方法を実行するように構築されることを特徴とするコンピュータ装置。
【発明の詳細な説明】
【技術分野】
【０００１】
本出願は、２０１６年６月２９日に提出した、出願番号が第２０１６１０５００７０５．９号で、発明の名称が「検索推薦情報を提供するための方法及び装置」である中国特許出願に基づく優先権を主張し、当該出願の全文を引用することにより本願に組み込む。
【０００２】
本発明は、コンピュータ技術分野に関するもので、特に、検索推薦情報を提供するための方法及び装置に関するものである。
【背景技術】
【０００３】
モバイル装置のアプリケーションは、通常、アプリケーション内のデータとユーザの進行する操作とを取得し、それに応じて、ユーザに情報を推薦することができる。しかし、例えば、ユーザの操作、通知、テキストメッセージ、写真などの、モバイル装置中の他のアプリケーションの情報ストリームデータには、一般的にユーザに情報を推薦するために使用できるユーザ画像またはユーザ要求などの参照情報が隠されている場合がある。この情報のストリームデータには、構造異性、離散型、無秩序などの特徴を備えるので、このような情報を利用することが比較的困難である。
【発明の概要】
【発明が解決しようとする課題】
【０００４】
本発明は、検索推薦情報を提供するための方法及び装置を提供しようとする。
【課題を解決するための手段】
【０００５】
第一の局面として、検索推薦情報を提供するための方法を提供する。上記方法は、ユーザがユーザ装置上で検索を行う場合に、上記ユーザに対応する検索参照情報を取得するステップであって、上記検索参照情報は、ユーザ装置うちの１つまたは複数のアプリケーションに対応する情報ストリームデータを含む、ステップと、上記検索参照情報に基づいて、上記ユーザに対応する検索要求情報を確定するステップと、上記検索要求情報に基づいて、相応の検索推薦情報を提供するステップとを含む。
【０００６】
第二の局面として、検索結果を提供するための提供装置を提供する。上記装置は、ユーザがユーザ装置上で検索を行う場合に、上記ユーザに対応する検索参照情報を取得するように構築される装置であって、上記検索参照情報は、ユーザ装置うちの１つまたは複数のアプリケーションに対応する情報ストリームデータを含む、装置と、上記検索参照情報に基づいて、上記ユーザに対応する検索要求情報を確定するように構築された装置と、上記検索要求情報に基づいて、相応の検索推薦情報を提供するように構築された装置とを含む。
【発明の効果】
【０００７】
従来の技術と比較して、本発明は、ユーザ装置中の情報ストリームデータに基づいて、ユーザの検索要求を確定し、相応の検索推薦情報を提供して、取得した検索推薦情報がその現在の検索要求にさらに適合するようすることで、ユーザにより入力された検索情報のみに基づいて検索を行う従来の方法から脱して、検索効率を向上させ、推薦情報の正確性を向上させる利点を備える。
【図面の簡単な説明】
【０００８】
以下の図面による非限定的な実施例についての詳細な説明を読み、参照することにより、本願の他の特徴、目的及び利点がより明らかになる。
【図１】本発明に係る検索推薦情報を提供するための方法のフローチャートを概略的に示す。
【図２】本発明に係る検索推薦情報を提供するための提供装置の構造概略図を概略的に示す。
【０００９】
添付された図面において、同一または類似の符号は、同一または類似の部材を表す。
【発明を実施するための形態】
【００１０】
以下、添付された図面を組み合わせて、本発明の更に詳細な説明を行う。
【００１１】
図１は、本発明に係る検索推薦情報を提供するための方法のフローチャートを概略的に示す。本発明の方法は、ステップＳ１、ステップＳ２とステップＳ３を含む。
【００１２】
ここで、本発明に係る方法は、コンピュータ装置に含まれている提供装置により実現される。上記コンピュータ装置は、事前に設定され、または、記憶されたコマンドに基づいて数値出力および／または情報の処理を自動的に行うことができる電子機器を含む。その電子機器のハードウェアは、マイクロプロセッサ、特定用途向け集積回路（ＡＳＩＣ）、フィールドプログラム可能なゲートアレイ（ＦＰＧＡ）、デジタルシグナルプロセッサ（ＤＳＰ）、内蔵装置などを含むが、これに限定されない。上記コンピュータ装置は、ネットワーク装置および/またはユーザ装置を含む。ここで、上記ネットワーク装置は、単一のネットワークサーバ、複数のネットワークサーバから成るサーバグループ、または大量のホストまたはネットワークサーバで構成されるクラウドコンピューティング（Ｃｌｏｕｄ  Ｃｏｍｐｕｔｉｎｇ）をもとにするクラウドを含むが、これに限定されない。ここで、クラウドコンピューティングは、分散型コンピューティングの一種のタイプとして、グループの小結合型のコンピュータセットからなる単一のスーパーバーチャルマシンである。上記ユーザ装置は、ユーザがキーボード、マウス、リモコン、タッチパッドまたは音声制御装置などの方式により、人間−マシンのインタラクション作用を行うことができる任意のタイプの電子製品であってもよい。例えば、パーソナルコンピュータ、タブレットＰＣ、スマートフォン、ＰＤＡ、ゲーム機やＩＰＴＶなどを含むが、これに限定されない。
【００１３】
好ましくは、上記ユーザ装置は、スマートフォンなどのモバイル装置を含む。
【００１４】
ここで、上記ユーザ装置とネットワーク装置が配置されたネットワークは、インターネット、ワイド・エリア・ネットワーク 、メトロポリタン・エリア・ネットワーク、ローカル・エリア・ネットワーク、ＶＰＮネットワークなどを含むが、これに限定されない。
【００１５】
なお、上記ユーザ装置、ネットワーク装置、ネットワークは、単に例示であるだけで、本発明に適用可能な場合、他の従来のまたは将来の表示されるユーザ装置、ネットワーク装置、ネットワークも、本発明の保護範囲内に含まれ、参照として本明細書に援用される。
【００１６】
図１を参照すると、ステップＳ１において、ユーザが装置上で検索を行う場合に、提供装置は、上記ユーザに対応する検索参照情報を取得する。
【００１７】
ここで、上記検索参照情報は、ユーザ装置うちの１つまたは複数のアプリケーションに対応する情報ストリームデータを含む。
【００１８】
ここで、上記情報ストリームデータは、操作、通知、テキストメッセージ、写真などのデータを含む。
【００１９】
好ましくは、上記検索参照情報は、情報ストリームデータを整理して取得した情報を含むことができる。たとえば、収集された情報ストリームデータに対してセマンティック(語義)分析操作を実行して、その主な情報を検索参照情報として利用する。
【００２０】
好ましくは、提供装置は、ステップＳ４（図示せず）を実行して、情報ストリームデータを収集する。
【００２１】
ステップＳ４において、提供装置は、上記ユーザ装置で生成された１つまたは複数の情報ストリームデータを収集し、上記１つまたは複数の情報ストリームデータに基づいて、相応の検索参照情報を取得し記憶する。
【００２２】
具体的に、提供装置は、収集した１つまたは複数の情報ストリームデータのそれぞれに対応する時間情報と内容情報とを検索参照情報として記憶することができる。
【００２３】
好ましくは、提供装置は、所定のフォーム情報に基づいて、収集された各情報ストリームデータを整理して、上記各情報ストリームデータに対応するラベル情報を検索参照情報として取得し記憶する。
【００２４】
ここで、上記ラベル情報は、以下のような情報のうち少なくとも一つの情報を含む。
【００２５】
１）時間情報：この時間情報は、情報ストリームデータを生成する時間を示すためのものである。
【００２６】
２）類別情報：この類別情報は、情報ストリームデータの分類を行うのに利用できる各種の情報を含む。例えば、情報ストリームデータは、情報の種類に応じて、「アプリケーションの通知」、「テキストメッセージ」または「ユーザの操作」などに分類される。
【００２７】
３）ソース情報：このソース情報は、情報ストリームデータを生成するアプリケーションを示すためのものである。
【００２８】
４）内容の要約情報：この内容の要約情報は、例えば、テキストメッセージの内容から抽出した要約情報のようなテキストの要約情報を含む。好ましくは、その内容の要約は、画像認識やビデオ認識によって取得した要約情報をさらに含む。
【００２９】
たとえば、ユーザが天安門の自分撮りの一枚高画質画像を撮影した場合、提供装置は、ユーザの操作に基づいて、写真の画像認識を実行して、取得した情報である「昼、北京の天安門、天気晴れ」を内容の要約情報として使用する。
【００３０】
５）意図情報：この意図情報は、ユーザの検索意図を反映することができる各種の情報を含む。例えば、大量のユーザデータに基づいて収集された所定の誘導規則に従って、ショッピング類のアプリケーションの通知情報に対応する意図情報は、「インターネットショッピング」と「宅配便照会」である。また、例えば、現在のユーザの性別、年齢、職業などの属性情報に基づいて、他の類似のユーザに対応する意図情報を、ユーザの意図情報として利用する。
【００３１】
本発明の第１例によれば、提供装置は、スマートフォンの検索類のアプリケーションａｐｐ＿１に含まれる。スマートフォンは、ショッピング類のアプリケーションａｐｐ＿２の通知情報である「ご注文の商品は発送が完了しました！お客様が購入した長袖のドレスは、発送が完了しました。」を受信することになる。この場合、提供装置は、ステップＳ４で、通知情報に対応する情報ストリームデータを収集して、５つのラベルを含む所定のフォーム情報である｛時間、類別、ソース、内容の要約、意図｝に基づいて、その情報ストリームデータを整理して、時間が「２０１６年４月５日の夜９時」で、類別が「ａｐｐ通知」で、ソースが「ａｐｐ＿２」で、内容の要約が「長袖のドレスは、発送が完了」で、意図が「インターネットショッピング、長袖ドレス」であるような検索参照情報ｉｎｆｏ＿１を取得する。提供装置は、当該検索参照情報ｉｎｆｏ＿１を上記スマートフォンに記憶する。ユーザが検索類（タイプ）のアプリケーションａｐｐ＿１で検索を行う場合、提供装置は、そのユーザに対応する一日中の検索参照情報ｉｎｆｏ＿１を取得する。
【００３２】
なお、上述した例示は、単に本発明の技術的方策をよく説明するためのものだけで、本発明を限定するためのものではない。当該技術分野の当業者は、上記ユーザ装置で生成された１つまたは複数の情報ストリームデータを収集し、上記１つまたは複数の情報ストリームデータに基づいて、相応の検索参照情報を取得し記憶する任意の実現方法は、すべて本発明の範囲内に含まれることを理解しなければならない。
【００３３】
好ましくは、提供装置は、上記ステップＳ４を定期的に実行して、ユーザ装置のうち、最新の情報ストリームデータを収集することができる。
【００３４】
好ましくは、提供装置は、ユーザの権限付与設定操作を取得し、ユーザ権限が付与された場合に、上記ユーザ装置で生成された１つまたは複数の情報ストリームデータを収集する。
【００３５】
たとえば、ユーザは、ユーザ装置中の写真、テキストメッセージ、アプリケーションの通知などの情報ストリームデータへのアクセス権限を設定することができ、提供装置は、ユーザが設定したアクセス権限に基づいて、ユーザ装置で生成された１つまたは複数の情報ストリームデータを収集することができる。
【００３６】
好ましくは、提供装置がネットワーク装置に含まれる場合には、提供装置は、ユーザ装置からの情報ストリームデータを受信することができる。
【００３７】
続いて、図１を参照すると、ステップＳ２において、提供装置は、上記検索参照情報に基づいて、上記ユーザに対応する検索要求情報を確定する。
【００３８】
ここで、上記検索要求情報は、ユーザの検索要求を示すための各種の情報を含む。
【００３９】
具体的には、提供装置が上記検索参照情報に基づいて上記ユーザに対応する検索要求情報を確定する方法は、以下のような方法のうちのいずれか一つを含むが、これに限定されない。
【００４０】
１）検索参照情報の内容情報を検索要求情報として直接に使用する。
【００４１】
２）検索参照情報の一部の情報を検索要求情報として選択する。例えば、整理を経由して、各情報ストリームデータの類別ラベルと意図ラベルを取得する場合、類別ラベルと意図ラベルの内容を検索要求情報として使用する。
【００４２】
３）ユーザに関する情報と上記検索参照情報とに基づいて、上記ユーザに対応する検索要求情報を確定する。
【００４３】
ここで、上記ユーザ関連情報は、例えば、年齢、職業、配偶者の有無、好みなどの当該ユーザに関連する各種の属性情報を含む。
【００４４】
好ましくは、提供装置は、所定の属性情報と要求情報のマッチルールに基づいて、ユーザ関連情報に対応する検索要求情報を確定することができる。
【００４５】
続いて、前述した第１例を説明すると、提供装置が取得したユーザに対応するユーザに関する情報が「女、２５歳、プログラマー、未婚」が含まれている場合、提供装置は、そのユーザに関連する情報と所定のマッチルールとに基づいて、ユーザにマッチされる要求が「春と秋の女性の衣類、ボヘミアンスタイル」であると確定する。この場合、提供装置は、検索参照（リファレンス）情報とユーザ関連情報に基づいて確定した要求情報とを、ユーザに対応する検索要求情報として利用する。この場合、取得した検索要求情報は、「インターネットショッピング、長袖のドレス、春と秋の女性の衣類、ボヘミアンスタイル」である。
【００４６】
４）上記検索参照情報から、上記ユーザに対応する検索要求情報として１つまたは複数のキーワードを抽出する。
【００４７】
好ましくは、複数の候補検索要求情報を取得する場合は、提供装置は、所定の重み算出ルールに基づいて、各候補検索要求の重み情報を算出する。続いて、提供装置は、上記各候補検索要求の重み情報に基づいて、各候補検索要求情報に対して順序配列を行い、配列された順序が前である少なくとも一つの候補検索要求情報を選択する。
【００４８】
続いて、図１を参照すると、ステップＳ３において、提供装置は、上記検索要求情報に基づいて、相応の検索推薦情報を提供する。
【００４９】
ここで、検索推薦情報は、検索要求情報に基づいて取得した検索結果を含む。
【００５０】
具体的には、提供装置は、上記検索要求情報に基づいて、上記検索要求情報に対応する１つまたは複数の拡張照会情報を確定し、続いて、提供装置は、上記１つまたは複数の拡張照情報に基づいて検索を行って、相応の検索推薦情報を取得する。
【００５１】
たとえば、ユーザが検索ボックスに「照会」を入力して検索を行う場合、提供装置は、ステップＳ２で、ユーザに対応する検索要求情報が「宅配便」であることを確定する。この場合、提供装置は「宅配便」を拡張照会単語に利用して、「照会」と「宅配便」に基づいて検索を行い、相応の検索推薦情報を取得する。
【００５２】
好ましくは、提供装置は、ユーザが選択するように、上記１つまたは複数の拡張照会情報を上記ユーザに提供する。次いで、提供装置は、ユーザにより選択された拡張照情報に基づいて検索を行って、相応の検索推薦情報を取得する。
【００５３】
続いて、前述した第１例を説明すると、提供装置は、検索要求情報が「インターネットショッピング、長袖のドレス、春と秋の女性の衣類、ボヘミアンスタイル」であることに基づいて、「インターネットショッピング」、「春と秋の女性の衣類」、「春と秋の女性の衣類」と「ボヘミアンスタイル」を拡張照会情報として利用して、対応する４つの拡張照会情報を、提示ウィンドウによってユーザに提供する。そのユーザが「ボヘミアンスタイル」と「春と秋の女性の衣類」を選択する場合、提供装置は、ユーザが選択した拡張照会情報に基づいて検索を行って、相応の検索推薦情報を取得する。
【００５４】
好ましくは、提供装置は、上記ユーザが入力した検索情報と上記１つまたは複数の拡張照情報とに基づいて、相応の１つまたは複数の検索推薦情報を表示することで、ユーザにその中の一つを選択させて検索することができる。
【００５５】
たとえば、ユーザが入力ウィンドウに照会単語「ａ」を入力し、提供装置により取得された拡張照会単語が「ｂ」と「ｃ」である場合、提供装置は、入力ウィンドウに「ａ＋ｂ」、「ａ＋ｃ」と「ａ＋ｂ＋ｃ」の３つの検索推薦情報を提供することにより、ユーザにその中の一つを選択させて検索するようにする。
【００５６】
なお、上述した例示は、単に本発明の技術的方策をよく説明するためのものだけで、本発明を限定するためのものではない。当該技術分野の当業者は、上記検索要求情報に基づいて、相応の検索推薦情報を提供する任意の実現方法は、すべて本発明の範囲内に含まれることを理解しなければならない。
【００５７】
本発明によれば、ユーザ装置中の情報ストリームデータに基づいて、ユーザの検索要求を確定し、相応の検索推薦情報を提供して、取得した検索推薦情報がその現在の検索ニーズにさらに適合されるようにする。これにより、ユーザにより入力された検索情報のみに基づいて検索を行う従来の方法から脱して、検索効率を向上させ、推薦情報の正確性を向上させることができる。また、本発明に係る形態として、情報ストリームデータを整理することにより、ユーザの検索要求を確定することに便利を提供することができる。
【００５８】
図２は、本発明に係る検索推薦情報を提供するための提供装置の構造概略図を概略的に示す。
【００５９】
本発明に係る提供装置は、ユーザが装置上で検索を行う場合に、上記ユーザに対応する検索参照情報を取得するように構築された装置（以下に「取得装置１」と略称される）と、上記検索参照情報に基づいて、上記ユーザに対応する検索要求情報を確定するように構築された装置（以下に「確定装置２」と略称される）と、上記検索要求情報に基づいて、相応の検索推薦情報を提供するように構築された装置（以下に「情報提供装置３」と略称される）を含む。
【００６０】
図２を参照すると、ユーザが装置上で検索を行う場合に、取得装置１は、上記ユーザに対応する検索参照情報を取得する。
【００６１】
ここで、上記検索参照情報は、ユーザ装置うちの１つまたは複数のアプリケーションに対応する情報ストリームデータを含む。
【００６２】
ここで、上記情報ストリームデータは、操作、通知、テキストメッセージ、写真などのデータを含む。
【００６３】
好ましくは、上記検索参照情報は、情報ストリームデータを整理して取得した情報を含むことができる。たとえば、収集された情報ストリームデータのセマンティック分析操作を実行して、その主な情報を検索参照情報として利用する。
【００６４】
好ましくは、上記提供装置は、上記ユーザ装置で生成された１つまたは複数の情報ストリームデータを収集し、上記１つまたは複数の情報ストリームデータに基づいて、相応の検索参照情報を取得し記憶するように構築された装置（図示せず、以下に「データ収集装置」と略称される）をさらに含む。
【００６５】
データ収集装置は、上記ユーザ装置で生成された１つまたは複数の情報ストリームデータを収集し、上記１つまたは複数の情報ストリームデータに基づいて、相応の検索参照情報を取得し記憶する。
【００６６】
具体的には、提供装置は、収集した１つまたは複数の情報ストリームデータのそれぞれに対応する時間情報と内容情報とを検索参照情報として記憶することができる。
【００６７】
好ましくは、上記提供装置は、所定のフォーム情報に基づいて、収集された各情報ストリームデータを整理し、上記各情報ストリームデータに対応するラベル情報を検索参照情報として取得し記憶するように構築された装置（図示せず、以下に「整理装置」と略称される）を含む。
【００６８】
整理装置は、所定のフォーム情報に基づいて、収集された各情報ストリームデータを整理して、上記各情報ストリームデータに対応するラベル情報を検索参照情報として取得し記憶する。
【００６９】
ここで、上記ラベル情報は、以下のような情報のうち少なくとも一つの情報を含む。
【００７０】
１）時間情報：この時間情報は、情報ストリームデータを生成する時間を示すためのものである。
【００７１】
２）類別情報：この類別情報は、情報ストリームデータの分類を行うのに利用できる各種の情報を含む。例えば、情報ストリームデータは、情報の種類に応じて、「アプリケーションの通知」、「テキストメッセージ」または「ユーザの操作」などに分類される。
【００７２】
３）ソース情報：このソース情報は、情報ストリームデータを生成するアプリケーションを示すためのものである。
【００７３】
４）内容の要約情報：この内容の要約情報は、例えば、テキストメッセージの内容から抽出した要約情報のようなテキストの要約情報を含む。好ましくは、その内容の要約は、画像認識やビデオ認識によって取得した要約情報をさらに含む。
【００７４】
たとえば、ユーザが天安門の自分撮りの一枚高画質画像を撮影した場合、提供装置は、ユーザの操作に基づいて、写真の画像認識を実行して、取得した情報である「昼、北京の天安門、天気晴れ」を内容の要約情報として使用する。
【００７５】
５）意図情報：この意図情報は、ユーザの検索意図を反映することができる各種の情報を含む。例えば、大量のユーザデータに基づいて収集された所定の誘導規則に従って、ショッピング類のアプリケーションの通知情報に対応する意図情報は、「インターネットショッピング」と「宅配便照会」である。また、例えば、現在のユーザの性別、年齢、職業などの属性情報に基づいて、他の類似のユーザに対応する意図情報を、ユーザの意図情報として利用する。
【００７６】
本発明の第１例によれば、提供装置は、スマートフォンの検索類のアプリケーションａｐｐ＿１に含まれる。スマートフォンは、ショッピング類のアプリケーションａｐｐ＿２の通知情報である「ご注文の商品は発送が完了しました！お客様が購入した長袖のドレスは、発送が完了しました。」を受信することになる。データ収集装置は、その通知情報に対応する情報ストリームデータを収集し、整理装置は、５つのラベルを含む所定のフォーム情報である｛時間、類別、ソース、内容の要約、意図｝に応じて、情報ストリームデータを整理して、時間が「２０１６年４月５日の夜９時」で、類別が「ａｐｐ通知」で、ソースが「ａｐｐ＿２」で、内容の要約が「長袖のドレスは、発送が完了」で、意図が「インターネットショッピング、長袖ドレス」であるような検索参照情報ｉｎｆｏ＿１を取得する。提供装置は、当該検索参照情報ｉｎｆｏ＿１を上記スマートフォンに記憶する。ユーザが検索タイプのアプリケーションａｐｐ＿１で検索を行う場合には、取得装置１は、そのユーザに対応する一日中の検索参照情報ｉｎｆｏ＿１を取得する。
【００７７】
なお、上述した例示は、単に本発明の技術的方策をよく説明するためのものだけで、本発明を限定するためのものではない。当該技術分野の当業者は、上記ユーザ装置で生成された１つまたは複数の情報ストリームデータを収集し、上記１つまたは複数の情報ストリームデータに基づいて、相応の検索参照情報を取得し記憶する任意の実現方法は、すべて本発明の範囲内に含まれることを理解しなければならない。
【００７８】
好ましくは、データ収集装置は、上記ユーザ装置で生成された１つまたは複数の情報ストリームデータを収集する操作を定期的に実行して、ユーザ装置のうち、最新の情報ストリームデータを収集することができる。
【００７９】
好ましくは、データ収集装置は、ユーザの権限付与設定操作を取得し、ユーザ権限が付与された場合に、上記ユーザ装置で生成された１つまたは複数の情報ストリームデータを収集する。
【００８０】
たとえば、ユーザは、ユーザ装置中の写真、テキストメッセージ、アプリケーションの通知などの情報ストリームデータへのアクセス権限を設定することができ、データ収集装置は、ユーザが設定したアクセス権限に基づいて、ユーザ装置で生成された１つまたは複数の情報ストリームデータを収集することができる。
【００８１】
好ましくは、提供装置がネットワーク装置に含まれる場合には、提供装置は、ユーザ装置からの情報ストリームデータを受信することができる。
【００８２】
続いて、図２を参照すると、確定装置２は、上記検索参照情報に基づいて、上記ユーザに対応する検索要求情報を確定する。
【００８３】
ここで、上記検索要求情報は、ユーザの検索要求を示すための各種の情報を含む。
【００８４】
具体的には、確定装置２が上記検索参照情報に基づいて上記ユーザに対応する検索要求情報を確定する方法は、以下のような方法のうちの任意の一つを含むが、これに限定されない。
【００８５】
１）検索参照情報の内容情報を検索要求情報として直接に使用する。
【００８６】
２）検索参照情報の一部の情報を検索要求情報として選択する。例えば、整理を経由して、各情報ストリームデータの類別ラベルと意図ラベルを取得する場合、類別ラベルと意図ラベルの内容を検索要求情報として使用する。
【００８７】
３）ユーザに関する情報と上記検索参照情報とに基づいて、上記ユーザに対応する検索要求情報を確定する。
【００８８】
ここで、上記ユーザ関連情報は、例えば、年齢、職業、配偶者の有無、好みなどの当該ユーザに関連する各種の属性情報を含む。
【００８９】
好ましくは、提供装置は、所定の属性情報と要求情報のマッチルールに基づいて、ユーザ関連情報に対応する検索要求情報を確定することができる。
【００９０】
続いて、前述した第１例を説明すると、提供装置が取得したユーザに対応するユーザに関する情報が「女、２５歳、プログラマー、未婚」が含まれている場合、確定装置２は、そのユーザに関連する情報と所定のマッチルールとに基づいて、ユーザにマッチされる要求が「春と秋の女性の衣類、ボヘミアンスタイル」であると確定する。この場合、確定装置２は、検索参照（リファレンス）情報とユーザ関連情報に基づいて確定した要求情報とを、ユーザに対応する検索要求情報として利用する。この場合、取得した検索要求情報は、「インターネットショッピング、長袖のドレス、春と秋の女性の衣類、ボヘミアンスタイル」である。
【００９１】
４）上記検索参照情報から、上記ユーザに対応する検索要求情報として１つまたは複数のキーワードを抽出する。
【００９２】
好ましくは、上記確定装置２は、複数の候補検索要求情報を取得する場合は、所定の重み算出ルールに基づいて、各候補検索要求の重み情報を算出するように構築された装置（図示せず、以下の「算出装置」と略称される）と、上記各候補検索要求の重み情報に基づいて、各候補検索要求情報に対して順序配列を行い、配列された順序が前である少なくとも一つの候補検索要求情報を選択するように構築された装置（図示せず、以下の「順序配列装置」と略称される）を含む。
【００９３】
複数の候補検索要求情報を取得する場合には、算出装置は、所定の重み算出ルールに基づいて、各候補検索要求の重み情報を算出する。次いで、順序配列装置は、上記各候補検索要求の重み情報に基づいて各候補検索要求情報対して順序配列を行い、配列された順序が前である少なくとも一つの候補検索要求情報を選択する。
【００９４】
続いて、図２を参照すると、情報提供装置３は、上記検索要求情報に基づいて、相応の検索推薦情報を提供する。
【００９５】
ここで、検索推薦情報は、検索要求情報に基づいて取得した検索結果を含む。
【００９６】
具体的には、情報提供装置３は、上記検索要求情報に基づいて、上記検索要求情報に対応する１つまたは複数の拡張照会情報を確定するように構築された装置（図示せず、以下の「拡張確定装置」として略称される）と、上記１つまたは複数の拡張照情報に基づいて検索を行って、相応の検索推薦情報を取得するように構築された装置（図示せず、以下の「拡張検索装置」と略称される）とをさらに含む。
【００９７】
拡張確定装置は、上記検索要求情報に基づいて、上記検索要求情報に対応する１つまたは複数の拡張照会情報を確定する。続いて、拡張検索装置は、上記１つまたは複数の拡張照情報に基づいて検索を行って、相応した検索推薦情報を取得する。
【００９８】
たとえば、ユーザが検索ボックスに「照会」を入力して検索を行う場合は、確定装置２は、そのユーザに対応する検索要求情報が「宅配便」であることを確定する。この場合、拡張確定装置は、「宅配便」を拡張照会単語として利用して、拡張検索装置は、「照会」と「宅配便」に基づいて検索を行い、相応の検索推薦情報を取得する。
【００９９】
好ましくは、上記拡張確定装置は、ユーザが選択するように、上記１つまたは複数の拡張照会情報を上記ユーザに提供するように構築された装置（図示せず、以下の「拡張提供装置」と略称される）を含む。
【０１００】
拡張提供装置は、ユーザが選択を行うように、上記１つまたは複数の拡張照会情報を上記ユーザに提供する。次いで、拡張検索装置は、ユーザにより選択された拡張照情報に基づいて検索を行って、相応の検索推薦情報を取得する。
【０１０１】
続いて、前述した第１例を説明すると、拡張確定装置は、検索要求情報が「インターネットショッピング、長袖のドレス、春と秋の女性の衣類、ボヘミアンスタイル」であることことに基づいて、「インターネットショッピング」、「春と秋の女性の衣類」、「春と秋の女性の衣類」と「ボヘミアンスタイル」を拡張照会情報として利用し、拡張提供装置は、対応する４つの拡張照会情報を、提示ウィンドウによってユーザに提供する。そのユーザが「ボヘミアンスタイル」と「春と秋の女性の衣類」を選択する場合、拡張検索装置は、ユーザが選択した拡張照情報に基づいて検索を行って相応の検索推薦情報を取得する。
【０１０２】
好ましくは、提供装置は、上記ユーザが入力した検索情報と上記１つまたは複数の拡張照会情報とに基づいて、相応の１つまたは複数の検索推薦情報を表示することで、ユーザにその中の一つを選択させて検索することができる。
【０１０３】
たとえば、ユーザが入力ウィンドウに照会単語「ａ」を入力し、提供装置により取得された拡張照会単語が「ｂ」と「ｃ」である場合、提供装置は、入力ウィンドウに「ａ＋ｂ」、「ａ＋ｃ」と「ａ＋ｂ＋ｃ」の３つの検索推薦情報を提供することにより、ユーザにその中の一つを選択させて検索するようにする。
【０１０４】
なお、上述した例示は、単に本発明の技術的方策をよく説明するためのものだけで、本発明を限定するためのものではない。当該技術分野の当業者は、上記検索要求情報に基づいて、相応の検索推薦情報を提供する任意の実現方法は、すべて本発明の範囲内に含まれることを理解しなければならない。
【０１０５】
本発明よれば、ユーザ装置中の情報ストリームデータに基づいて、ユーザの検索要求を確定し、相応の検索推薦情報を提供して、取得した検索推薦情報がその現在の検索ニーズにさらに適合されるようにする。これにより、ユーザが入力した検索情報のみに基づいて検索を行う従来の方法から脱して、検索効率を向上させ、推薦情報の正確性を向上させることができる。また、本発明に係る形態として、情報ストリームデータを整理することにより、ユーザの検索要求を確定することに便利を提供することができる。
【０１０６】
本発明のソフトウェアプログラムは、上述したステップや機能を実現するために、プロセッサによって実行されることができる。同様に、本発明のソフトウェアプログラム（関連するデータ構造を含む）は、ＲＡＭ、記憶装置、磁気または光学ドライブまたはフロッピーディスクなどのコンピュータ読み取り可能な記録媒体に記憶することができる。また、本発明の一部のステップまたは機能は、ハードウェアを利用して実現することができ、例えば、プロセッサと協力して、各機能またはステップを実行する回路で実現することができる。
【０１０７】
また、本発明の一部は、コンピュータプログラム製品、例えば、コンピュータプログラムコマンドに適用されることができ、これがコンピュータによって実行される場合には、そのコンピュータの操作によって、本発明に係る方法および／または技術的方案を呼び出したり提供することができる。本発明の方法を呼び出すプログラムのコマンドは、固定式の記録媒体または移動可能な記録媒体に記憶することができ、および／または放送またはその他の信号搭載媒体中のデータストリームを介して送信されることができ、および／または上記プログラムコマンドによって運行されているコンピュータ装置の運行記憶装置に記憶することができる。ここで、本発明に係る一実施例は、一つの装置を含み、その装置は、コンピュータプログラムコマンドを格納するための記憶装置と、そのプログラムのコマンドを実行するためのプロセッサを含み、そのコンピュータプログラムコマンドは、そのプロセッサによって実行される場合、その装置が前述した本発明の複数の実施形態による方法および／または技術的方策を運行するように誘発する。
【０１０８】
当業者であれば、本発明は、上述した例示的実施形態の詳細に限定されず、本発明の主旨または基本特徴を違反せず他の具体的な形式で実現することができることが自明である。したがって、どのような方面でも、実施例はすべて例示的で、非限定的なものとみなされるべきで、本発明の範囲は、上述した説明によって限定されるものではなく、添付された特許請求の範囲によって限定される。したがって、特許請求の範囲の均等な要素の意味と範囲内に属するすべての変更は、すべて本発明に含まれる。特許請求の範囲中の任意の図面符号が関連請求項を限定するものとみなさならない。また、「含む」という用語は他のユニットまたはステップを排除しなく、単数表現は複数表現を排除しないことが自明である。システムの請求項に示された複数のユニットまたは装置は、ソフトウェアまたはハードウェアを使用して、単一のユニットまたは装置で実現されることもできる。第１、第２などの用語は、名称を表示するだけで、任意の特定の順序を表示するものではない。
【図１】
2019511792.tif 000003
【図２】
2019511792.tif 000004
【手続補正書】
【提出日】平成30年10月15日(2018.10.15)
【手続補正１】
【補正対象書類名】明細書
【補正対象項目名】全文
【補正方法】変更
【補正の内容】
【発明の詳細な説明】
【技術分野】
【０００１】
本出願は、２０１６年６月２９日に提出した、出願番号が第２０１６１０５００７０５．９号で、発明の名称が「検索推薦情報を提供するための方法及び装置」である中国特許出願に基づく優先権を主張し、当該出願の全文を引用することにより本願に組み込む。
【０００２】
本発明は、コンピュータ技術分野に関するもので、特に、検索推薦情報を提供するための方法及び装置に関するものである。
【背景技術】
【０００３】
モバイル装置のアプリケーションは、通常、アプリケーション内のデータとユーザの進行する操作とを取得し、それに応じて、ユーザに情報を推薦することができる。しかし、例えば、ユーザの操作、通知、テキストメッセージ、写真などの、モバイル装置中の他のアプリケーションの情報ストリームデータには、一般的にユーザに情報を推薦するために使用できるユーザ画像またはユーザ要求などの参照情報が隠されている場合がある。この情報のストリームデータには、構造異性、離散型、無秩序などの特徴を備えるので、このような情報を利用することが比較的困難である。
【発明の概要】
【発明が解決しようとする課題】
【０００４】
本発明は、検索推薦情報を提供するための方法及び装置を提供しようとする。
【課題を解決するための手段】
【０００５】
第一の局面として、検索推薦情報を提供するための方法を提供する。上記方法は、ユーザがユーザ装置上で検索を行う場合に、上記ユーザに対応する検索参照情報を取得するステップであって、上記検索参照情報は、ユーザ装置うちの１つまたは複数のアプリケーションに対応する情報ストリームデータを含む、ステップと、上記検索参照情報に基づいて、上記ユーザに対応する検索要求情報を確定するステップと、上記検索要求情報に基づいて、相応の検索推薦情報を提供するステップとを含む。
【０００６】
第二の局面として、検索推薦情報を提供するための提供装置を提供する。上記装置は、ユーザがユーザ装置上で検索を行う場合に、上記ユーザに対応する検索参照情報を取得するように構築される装置であって、上記検索参照情報は、ユーザ装置うちの１つまたは複数のアプリケーションに対応する情報ストリームデータを含む、装置と、上記検索参照情報に基づいて、上記ユーザに対応する検索要求情報を確定するように構築された装置と、上記検索要求情報に基づいて、相応の検索推薦情報を提供するように構築された装置とを含む。
【発明の効果】
【０００７】
従来の技術と比較して、本発明は、ユーザ装置中の情報ストリームデータに基づいて、ユーザの検索要求を確定し、相応の検索推薦情報を提供して、取得した検索推薦情報がその現在の検索要求にさらに適合するようすることで、ユーザにより入力された検索情報のみに基づいて検索を行う従来の方法から脱して、検索効率を向上させ、推薦情報の正確性を向上させる利点を備える。
【図面の簡単な説明】
【０００８】
以下の図面による非限定的な実施例についての詳細な説明を読み、参照することにより、本願の他の特徴、目的及び利点がより明らかになる。
【図１】本発明に係る検索推薦情報を提供するための方法のフローチャートを概略的に示す。
【図２】本発明に係る検索推薦情報を提供するための提供装置の構造概略図を概略的に示す。
【０００９】
添付された図面において、同一または類似の符号は、同一または類似の部材を表す。
【発明を実施するための形態】
【００１０】
以下、添付された図面を組み合わせて、本発明の更に詳細な説明を行う。
【００１１】
図１は、本発明に係る検索推薦情報を提供するための方法のフローチャートを概略的に示す。本発明の方法は、ステップＳ１、ステップＳ２とステップＳ３を含む。
【００１２】
ここで、本発明に係る方法は、コンピュータ装置に含まれている提供装置により実現される。上記コンピュータ装置は、事前に設定され、または、記憶されたコマンドに基づいて数値出力および／または情報の処理を自動的に行うことができる電子機器を含む。その電子機器のハードウェアは、マイクロプロセッサ、特定用途向け集積回路（ＡＳＩＣ）、フィールドプログラム可能なゲートアレイ（ＦＰＧＡ）、デジタルシグナルプロセッサ（ＤＳＰ）、内蔵装置などを含むが、これに限定されない。上記コンピュータ装置は、ネットワーク装置および/またはユーザ装置を含む。ここで、上記ネットワーク装置は、単一のネットワークサーバ、複数のネットワークサーバから成るサーバグループ、または大量のホストまたはネットワークサーバで構成されるクラウドコンピューティング（Ｃｌｏｕｄ  Ｃｏｍｐｕｔｉｎｇ）をもとにするクラウドを含むが、これに限定されない。ここで、クラウドコンピューティングは、分散型コンピューティングの一種のタイプとして、グループの小結合型のコンピュータセットからなる単一のスーパーバーチャルマシンである。上記ユーザ装置は、ユーザがキーボード、マウス、リモコン、タッチパッドまたは音声制御装置などの方式により、人間−マシンのインタラクション作用を行うことができる任意のタイプの電子製品であってもよい。例えば、パーソナルコンピュータ、タブレットＰＣ、スマートフォン、ＰＤＡ、ゲーム機やＩＰＴＶなどを含むが、これに限定されない。
【００１３】
好ましくは、上記ユーザ装置は、スマートフォンなどのモバイル装置を含む。
【００１４】
ここで、上記ユーザ装置とネットワーク装置が配置されたネットワークは、インターネット、ワイド・エリア・ネットワーク 、メトロポリタン・エリア・ネットワーク、ローカル・エリア・ネットワーク、ＶＰＮネットワークなどを含むが、これに限定されない。
【００１５】
なお、上記ユーザ装置、ネットワーク装置、ネットワークは、単に例示であるだけで、本発明に適用可能な場合、他の従来のまたは将来の表示されるユーザ装置、ネットワーク装置、ネットワークも、本発明の保護範囲内に含まれ、参照として本明細書に援用される。
【００１６】
図１を参照すると、ステップＳ１において、ユーザが装置上で検索を行う場合に、提供装置は、上記ユーザに対応する検索参照情報を取得する。
【００１７】
ここで、上記検索参照情報は、ユーザ装置うちの１つまたは複数のアプリケーションに対応する情報ストリームデータを含む。
【００１８】
ここで、上記情報ストリームデータは、操作、通知、テキストメッセージ、写真などのデータを含む。
【００１９】
好ましくは、上記検索参照情報は、情報ストリームデータを整理して取得した情報を含むことができる。たとえば、収集された情報ストリームデータに対してセマンティック(語義)分析操作を実行して、その主な情報を検索参照情報として利用する。
【００２０】
好ましくは、提供装置は、ステップＳ４（図示せず）を実行して、情報ストリームデータを収集する。
【００２１】
ステップＳ４において、提供装置は、上記ユーザ装置で生成された１つまたは複数の情報ストリームデータを収集し、上記１つまたは複数の情報ストリームデータに基づいて、相応の検索参照情報を取得し記憶する。
【００２２】
具体的に、提供装置は、収集した１つまたは複数の情報ストリームデータのそれぞれに対応する時間情報と内容情報とを検索参照情報として記憶することができる。
【００２３】
好ましくは、提供装置は、所定のフォーム情報に基づいて、収集された各情報ストリームデータを整理して、上記各情報ストリームデータに対応するラベル情報を検索参照情報として取得し記憶する。
【００２４】
ここで、上記ラベル情報は、以下のような情報のうち少なくとも一つの情報を含む。
【００２５】
１）時間情報：この時間情報は、情報ストリームデータを生成する時間を示すためのものである。
【００２６】
２）類別情報：この類別情報は、情報ストリームデータの分類を行うのに利用できる各種の情報を含む。例えば、情報ストリームデータは、情報の種類に応じて、「アプリケーションの通知」、「テキストメッセージ」または「ユーザの操作」などに分類される。
【００２７】
３）ソース情報：このソース情報は、情報ストリームデータを生成するアプリケーションを示すためのものである。
【００２８】
４）内容の要約情報：この内容の要約情報は、例えば、テキストメッセージの内容から抽出した要約情報のようなテキストの要約情報を含む。好ましくは、その内容の要約は、画像認識やビデオ認識によって取得した要約情報をさらに含む。
【００２９】
たとえば、ユーザが天安門の一枚高画質画像を撮影した場合、提供装置は、ユーザの操作に基づいて、写真の画像認識を実行して、取得した情報である「昼、北京の天安門、天気晴れ」を内容の要約情報として使用する。
【００３０】
５）意図情報：この意図情報は、ユーザの検索意図を反映することができる各種の情報を含む。例えば、大量のユーザデータに基づいて収集された所定の誘導規則に従って、ショッピング類のアプリケーションの通知情報に対応する意図情報は、「インターネットショッピング」と「宅配便照会」である。また、例えば、現在のユーザの性別、年齢、職業などの属性情報に基づいて、他の類似のユーザに対応する意図情報を、ユーザの意図情報として利用する。
【００３１】
本発明の第１例によれば、提供装置は、スマートフォンの検索類のアプリケーションａｐｐ＿１に含まれる。スマートフォンは、ショッピング類のアプリケーションａｐｐ＿２の通知情報である「ご注文の商品は発送が完了しました！お客様が購入した長袖のドレスは、発送が完了しました。」を受信することになる。この場合、提供装置は、ステップＳ４で、通知情報に対応する情報ストリームデータを収集して、５つのラベルを含む所定のフォーム情報である｛時間、類別、ソース、内容の要約、意図｝に基づいて、その情報ストリームデータを整理して、時間が「２０１６年４月５日の夜９時」で、類別が「ａｐｐ通知」で、ソースが「ａｐｐ＿２」で、内容の要約が「長袖のドレスは、発送が完了」で、意図が「インターネットショッピング、長袖ドレス」であるような検索参照情報ｉｎｆｏ＿１を取得する。提供装置は、当該検索参照情報ｉｎｆｏ＿１を上記スマートフォンに記憶する。ユーザが検索類（タイプ）のアプリケーションａｐｐ＿１で検索を行う場合、提供装置は、そのユーザに対応する一日中の検索参照情報ｉｎｆｏ＿１を取得する。
【００３２】
なお、上述した例示は、単に本発明の技術的方策をよく説明するためのものだけで、本発明を限定するためのものではない。当該技術分野の当業者は、上記ユーザ装置で生成された１つまたは複数の情報ストリームデータを収集し、上記１つまたは複数の情報ストリームデータに基づいて、相応の検索参照情報を取得し記憶する任意の実現方法は、すべて本発明の範囲内に含まれることを理解しなければならない。
【００３３】
好ましくは、提供装置は、上記ステップＳ４を定期的に実行して、ユーザ装置のうち、最新の情報ストリームデータを収集することができる。
【００３４】
好ましくは、提供装置は、ユーザの権限付与設定操作を取得し、ユーザ権限が付与された場合に、上記ユーザ装置で生成された１つまたは複数の情報ストリームデータを収集する。
【００３５】
たとえば、ユーザは、ユーザ装置中の写真、テキストメッセージ、アプリケーションの通知などの情報ストリームデータへのアクセス権限を設定することができ、提供装置は、ユーザが設定したアクセス権限に基づいて、ユーザ装置で生成された１つまたは複数の情報ストリームデータを収集することができる。
【００３６】
好ましくは、提供装置がネットワーク装置に含まれる場合には、提供装置は、ユーザ装置からの情報ストリームデータを受信することができる。
【００３７】
続いて、図１を参照すると、ステップＳ２において、提供装置は、上記検索参照情報に基づいて、上記ユーザに対応する検索要求情報を確定する。
【００３８】
ここで、上記検索要求情報は、ユーザの検索要求を示すための各種の情報を含む。
【００３９】
具体的には、提供装置が上記検索参照情報に基づいて上記ユーザに対応する検索要求情報を確定する方法は、以下のような方法のうちのいずれか一つを含むが、これに限定されない。
【００４０】
１）検索参照情報の内容情報を検索要求情報として直接に使用する。
【００４１】
２）検索参照情報の一部の情報を検索要求情報として選択する。例えば、整理を経由して、各情報ストリームデータの類別ラベルと意図ラベルを取得する場合、類別ラベルと意図ラベルの内容を検索要求情報として使用する。
【００４２】
３）ユーザに関する情報と上記検索参照情報とに基づいて、上記ユーザに対応する検索要求情報を確定する。
【００４３】
ここで、上記ユーザ関連情報は、例えば、年齢、職業、配偶者の有無、好みなどの当該ユーザに関連する各種の属性情報を含む。
【００４４】
好ましくは、提供装置は、所定の属性情報と要求情報のマッチルールに基づいて、ユーザ関連情報に対応する検索要求情報を確定することができる。
【００４５】
続いて、前述した第１例を説明すると、提供装置が取得したユーザに対応するユーザに関する情報が「女、２５歳、プログラマー、未婚」が含まれている場合、提供装置は、そのユーザに関連する情報と所定のマッチルールとに基づいて、ユーザにマッチされる要求が「春と秋の女性の衣類、ボヘミアンスタイル」であると確定する。この場合、提供装置は、検索参照（リファレンス）情報とユーザ関連情報に基づいて確定した要求情報とを、ユーザに対応する検索要求情報として利用する。この場合、取得した検索要求情報は、「インターネットショッピング、長袖のドレス、春と秋の女性の衣類、ボヘミアンスタイル」である。
【００４６】
４）上記検索参照情報から、上記ユーザに対応する検索要求情報として１つまたは複数のキーワードを抽出する。
【００４７】
好ましくは、複数の候補検索要求情報を取得する場合は、提供装置は、所定の重み算出ルールに基づいて、各候補検索要求の重み情報を算出する。続いて、提供装置は、上記各候補検索要求の重み情報に基づいて、各候補検索要求情報に対して順序配列を行い、配列された順序が前である少なくとも一つの候補検索要求情報を選択する。
【００４８】
続いて、図１を参照すると、ステップＳ３において、提供装置は、上記検索要求情報に基づいて、相応の検索推薦情報を提供する。
【００４９】
ここで、検索推薦情報は、検索要求情報に基づいて取得した検索推薦情報を含む。
【００５０】
具体的には、提供装置は、上記検索要求情報に基づいて、上記検索要求情報に対応する１つまたは複数の拡張照会情報を確定し、続いて、提供装置は、上記１つまたは複数の拡張照会情報に基づいて検索を行って、相応の検索推薦情報を取得する。
【００５１】
たとえば、ユーザが検索ボックスに「照会」を入力して検索を行う場合、提供装置は、ステップＳ２で、ユーザに対応する検索要求情報が「宅配便」であることを確定する。この場合、提供装置は「宅配便」を拡張照会単語に利用して、「照会」と「宅配便」に基づいて検索を行い、相応の検索推薦情報を取得する。
【００５２】
好ましくは、提供装置は、ユーザが選択するように、上記１つまたは複数の拡張照会情報を上記ユーザに提供する。次いで、提供装置は、ユーザにより選択された拡張照会情報に基づいて検索を行って、相応の検索推薦情報を取得する。
【００５３】
続いて、前述した第１例を説明すると、提供装置は、検索要求情報が「インターネットショッピング、長袖のドレス、春と秋の女性の衣類、ボヘミアンスタイル」であることに基づいて、「インターネットショッピング」、「春と秋の女性の衣類」、「春と秋の女性の衣類」と「ボヘミアンスタイル」を拡張照会情報として利用して、対応する４つの拡張照会情報を、提示ウィンドウによってユーザに提供する。そのユーザが「ボヘミアンスタイル」と「春と秋の女性の衣類」を選択する場合、提供装置は、ユーザが選択した拡張照会情報に基づいて検索を行って、相応の検索推薦情報を取得する。
【００５４】
好ましくは、提供装置は、上記ユーザが入力した検索情報と上記１つまたは複数の拡張照会情報とに基づいて、相応の１つまたは複数の検索推薦情報を表示することで、ユーザにその中の一つを選択させて検索することができる。
【００５５】
たとえば、ユーザが入力ウィンドウに照会単語「ａ」を入力し、提供装置により取得された拡張照会単語が「ｂ」と「ｃ」である場合、提供装置は、入力ウィンドウに「ａ＋ｂ」、「ａ＋ｃ」と「ａ＋ｂ＋ｃ」の３つの検索推薦情報を提供することにより、ユーザにその中の一つを選択させて検索するようにする。
【００５６】
なお、上述した例示は、単に本発明の技術的方策をよく説明するためのものだけで、本発明を限定するためのものではない。当該技術分野の当業者は、上記検索要求情報に基づいて、相応の検索推薦情報を提供する任意の実現方法は、すべて本発明の範囲内に含まれることを理解しなければならない。
【００５７】
本発明によれば、ユーザ装置中の情報ストリームデータに基づいて、ユーザの検索要求を確定し、相応の検索推薦情報を提供して、取得した検索推薦情報がその現在の検索ニーズにさらに適合されるようにする。これにより、ユーザにより入力された検索情報のみに基づいて検索を行う従来の方法から脱して、検索効率を向上させ、推薦情報の正確性を向上させることができる。また、本発明に係る形態として、情報ストリームデータを整理することにより、ユーザの検索要求を確定することに便利を提供することができる。
【００５８】
図２は、本発明に係る検索推薦情報を提供するための提供装置の構造概略図を概略的に示す。
【００５９】
本発明に係る提供装置は、ユーザが装置上で検索を行う場合に、上記ユーザに対応する検索参照情報を取得するように構築された装置（以下に「取得装置１」と略称される）と、上記検索参照情報に基づいて、上記ユーザに対応する検索要求情報を確定するように構築された装置（以下に「確定装置２」と略称される）と、上記検索要求情報に基づいて、相応の検索推薦情報を提供するように構築された装置（以下に「情報提供装置３」と略称される）を含む。
【００６０】
図２を参照すると、ユーザが装置上で検索を行う場合に、取得装置１は、上記ユーザに対応する検索参照情報を取得する。
【００６１】
ここで、上記検索参照情報は、ユーザ装置うちの１つまたは複数のアプリケーションに対応する情報ストリームデータを含む。
【００６２】
ここで、上記情報ストリームデータは、操作、通知、テキストメッセージ、写真などのデータを含む。
【００６３】
好ましくは、上記検索参照情報は、情報ストリームデータを整理して取得した情報を含むことができる。たとえば、収集された情報ストリームデータのセマンティック分析操作を実行して、その主な情報を検索参照情報として利用する。
【００６４】
好ましくは、上記提供装置は、上記ユーザ装置で生成された１つまたは複数の情報ストリームデータを収集し、上記１つまたは複数の情報ストリームデータに基づいて、相応の検索参照情報を取得し記憶するように構築された装置（図示せず、以下に「データ収集装置」と略称される）をさらに含む。
【００６５】
データ収集装置は、上記ユーザ装置で生成された１つまたは複数の情報ストリームデータを収集し、上記１つまたは複数の情報ストリームデータに基づいて、相応の検索参照情報を取得し記憶する。
【００６６】
具体的には、データ収集装置は、収集した１つまたは複数の情報ストリームデータのそれぞれに対応する時間情報と内容情報とを検索参照情報として記憶することができる。
【００６７】
好ましくは、上記提供装置は、所定のフォーム情報に基づいて、収集された各情報ストリームデータを整理し、上記各情報ストリームデータに対応するラベル情報を検索参照情報として取得し記憶するように構築された装置（図示せず、以下に「整理装置」と略称される）をさらに含む。
【００６８】
整理装置は、所定のフォーム情報に基づいて、収集された各情報ストリームデータを整理して、上記各情報ストリームデータに対応するラベル情報を検索参照情報として取得し記憶する。
【００６９】
ここで、上記ラベル情報は、以下のような情報のうち少なくとも一つの情報を含む。
【００７０】
１）時間情報：この時間情報は、情報ストリームデータを生成する時間を示すためのものである。
【００７１】
２）類別情報：この類別情報は、情報ストリームデータの分類を行うのに利用できる各種の情報を含む。例えば、情報ストリームデータは、情報の種類に応じて、「アプリケーションの通知」、「テキストメッセージ」または「ユーザの操作」などに分類される。
【００７２】
３）ソース情報：このソース情報は、情報ストリームデータを生成するアプリケーションを示すためのものである。
【００７３】
４）内容の要約情報：この内容の要約情報は、例えば、テキストメッセージの内容から抽出した要約情報のようなテキストの要約情報を含む。好ましくは、その内容の要約は、画像認識やビデオ認識によって取得した要約情報をさらに含む。
【００７４】
たとえば、ユーザが天安門の一枚高画質画像を撮影した場合、提供装置は、ユーザの操作に基づいて、写真の画像認識を実行して、取得した情報である「昼、北京の天安門、天気晴れ」を内容の要約情報として使用する。
【００７５】
５）意図情報：この意図情報は、ユーザの検索意図を反映することができる各種の情報を含む。例えば、大量のユーザデータに基づいて収集された所定の誘導規則に従って、ショッピング類のアプリケーションの通知情報に対応する意図情報は、「インターネットショッピング」と「宅配便照会」である。また、例えば、現在のユーザの性別、年齢、職業などの属性情報に基づいて、他の類似のユーザに対応する意図情報を、ユーザの意図情報として利用する。
【００７６】
本発明の第１例によれば、提供装置は、スマートフォンの検索類のアプリケーションａｐｐ＿１に含まれる。スマートフォンは、ショッピング類のアプリケーションａｐｐ＿２の通知情報である「ご注文の商品は発送が完了しました！お客様が購入した長袖のドレスは、発送が完了しました。」を受信することになる。データ収集装置は、その通知情報に対応する情報ストリームデータを収集し、整理装置は、５つのラベルを含む所定のフォーム情報である｛時間、類別、ソース、内容の要約、意図｝に応じて、情報ストリームデータを整理して、時間が「２０１６年４月５日の夜９時」で、類別が「ａｐｐ通知」で、ソースが「ａｐｐ＿２」で、内容の要約が「長袖のドレスは、発送が完了」で、意図が「インターネットショッピング、長袖ドレス」であるような検索参照情報ｉｎｆｏ＿１を取得する。整理装置は、当該検索参照情報ｉｎｆｏ＿１を上記スマートフォンに記憶する。ユーザが検索タイプのアプリケーションａｐｐ＿１で検索を行う場合には、取得装置１は、そのユーザに対応する一日中の検索参照情報ｉｎｆｏ＿１を取得する。
【００７７】
なお、上述した例示は、単に本発明の技術的方策をよく説明するためのものだけで、本発明を限定するためのものではない。当該技術分野の当業者は、上記ユーザ装置で生成された１つまたは複数の情報ストリームデータを収集し、上記１つまたは複数の情報ストリームデータに基づいて、相応の検索参照情報を取得し記憶する任意の実現方法は、すべて本発明の範囲内に含まれることを理解しなければならない。
【００７８】
好ましくは、データ収集装置は、上記ユーザ装置で生成された１つまたは複数の情報ストリームデータを収集する操作を定期的に実行して、ユーザ装置のうち、最新の情報ストリームデータを収集することができる。
【００７９】
好ましくは、データ収集装置は、ユーザの権限付与設定操作を取得し、ユーザ権限が付与された場合に、上記ユーザ装置で生成された１つまたは複数の情報ストリームデータを収集する。
【００８０】
たとえば、ユーザは、ユーザ装置中の写真、テキストメッセージ、アプリケーションの通知などの情報ストリームデータへのアクセス権限を設定することができ、データ収集装置は、ユーザが設定したアクセス権限に基づいて、ユーザ装置で生成された１つまたは複数の情報ストリームデータを収集することができる。
【００８１】
好ましくは、提供装置がネットワーク装置に含まれる場合には、提供装置は、ユーザ装置からの情報ストリームデータを受信することができる。
【００８２】
続いて、図２を参照すると、確定装置２は、上記検索参照情報に基づいて、上記ユーザに対応する検索要求情報を確定する。
【００８３】
ここで、上記検索要求情報は、ユーザの検索要求を示すための各種の情報を含む。
【００８４】
具体的には、確定装置２が上記検索参照情報に基づいて上記ユーザに対応する検索要求情報を確定する方法は、以下のような方法のうちの任意の一つを含むが、これに限定されない。
【００８５】
１）検索参照情報の内容情報を検索要求情報として直接に使用する。
【００８６】
２）検索参照情報の一部の情報を検索要求情報として選択する。例えば、整理を経由して、各情報ストリームデータの類別ラベルと意図ラベルを取得する場合、類別ラベルと意図ラベルの内容を検索要求情報として使用する。
【００８７】
３）ユーザに関する情報と上記検索参照情報とに基づいて、上記ユーザに対応する検索要求情報を確定する。
【００８８】
ここで、上記ユーザ関連情報は、例えば、年齢、職業、配偶者の有無、好みなどの当該ユーザに関連する各種の属性情報を含む。
【００８９】
好ましくは、確定装置２は、所定の属性情報と要求情報のマッチルールに基づいて、ユーザ関連情報に対応する検索要求情報を確定することができる。
【００９０】
続いて、前述した第１例を説明すると、提供装置が取得したユーザに対応するユーザに関する情報が「女、２５歳、プログラマー、未婚」が含まれている場合、確定装置２は、そのユーザに関連する情報と所定のマッチルールとに基づいて、ユーザにマッチされる要求が「春と秋の女性の衣類、ボヘミアンスタイル」であると確定する。この場合、確定装置２は、検索参照（リファレンス）情報とユーザ関連情報に基づいて確定した要求情報とを、ユーザに対応する検索要求情報として利用する。この場合、取得した検索要求情報は、「インターネットショッピング、長袖のドレス、春と秋の女性の衣類、ボヘミアンスタイル」である。
【００９１】
４）上記検索参照情報から、上記ユーザに対応する検索要求情報として１つまたは複数のキーワードを抽出する。
【００９２】
好ましくは、上記確定装置２は、複数の候補検索要求情報を取得する場合は、所定の重み算出ルールに基づいて、各候補検索要求の重み情報を算出するように構築された装置（図示せず、以下の「算出装置」と略称される）と、上記各候補検索要求の重み情報に基づいて、各候補検索要求情報に対して順序配列を行い、配列された順序が前である少なくとも一つの候補検索要求情報を選択するように構築された装置（図示せず、以下の「順序配列装置」と略称される）を含む。
【００９３】
複数の候補検索要求情報を取得する場合には、算出装置は、所定の重み算出ルールに基づいて、各候補検索要求の重み情報を算出する。次いで、順序配列装置は、上記各候補検索要求の重み情報に基づいて各候補検索要求情報対して順序配列を行い、配列された順序が前である少なくとも一つの候補検索要求情報を選択する。
【００９４】
続いて、図２を参照すると、情報提供装置３は、上記検索要求情報に基づいて、相応の検索推薦情報を提供する。
【００９５】
ここで、検索推薦情報は、検索要求情報に基づいて取得した検索推薦情報を含む。
【００９６】
具体的には、情報提供装置３は、上記検索要求情報に基づいて、上記検索要求情報に対応する１つまたは複数の拡張照会情報を確定するように構築された装置（図示せず、以下の「拡張確定装置」として略称される）と、上記１つまたは複数の拡張照会情報に基づいて検索を行って、相応の検索推薦情報を取得するように構築された装置（図示せず、以下の「拡張検索装置」と略称される）とを含む。
【００９７】
拡張確定装置は、上記検索要求情報に基づいて、上記検索要求情報に対応する１つまたは複数の拡張照会情報を確定する。続いて、拡張検索装置は、上記１つまたは複数の拡張照会情報に基づいて検索を行って、相応した検索推薦情報を取得する。
【００９８】
たとえば、ユーザが検索ボックスに「照会」を入力して検索を行う場合は、拡張確定装置は、そのユーザに対応する検索要求情報が「宅配便」であることを確定する。この場合、拡張確定装置は、「宅配便」を拡張照会単語として利用して、拡張検索装置は、「照会」と「宅配便」に基づいて検索を行い、相応の検索推薦情報を取得する。
【００９９】
好ましくは、上記拡張確定装置は、ユーザが選択するように、上記１つまたは複数の拡張照会情報を上記ユーザに提供するように構築された装置（図示せず、以下の「拡張提供装置」と略称される）を含む。
【０１００】
拡張提供装置は、ユーザが選択を行うように、上記１つまたは複数の拡張照会情報を上記ユーザに提供する。次いで、拡張検索装置は、ユーザにより選択された拡張照会情報に基づいて検索を行って、相応の検索推薦情報を取得する。
【０１０１】
続いて、前述した第１例を説明すると、拡張確定装置は、検索要求情報が「インターネットショッピング、長袖のドレス、春と秋の女性の衣類、ボヘミアンスタイル」であることことに基づいて、「インターネットショッピング」、「春と秋の女性の衣類」、「春と秋の女性の衣類」と「ボヘミアンスタイル」を拡張照会情報として利用し、拡張提供装置は、対応する４つの拡張照会情報を、提示ウィンドウによってユーザに提供する。そのユーザが「ボヘミアンスタイル」と「春と秋の女性の衣類」を選択する場合、拡張検索装置は、ユーザが選択した拡張照会情報に基づいて検索を行って相応の検索推薦情報を取得する。
【０１０２】
好ましくは、提供装置は、上記ユーザが入力した検索情報と上記１つまたは複数の拡張照会情報とに基づいて、相応の１つまたは複数の検索推薦情報を表示することで、ユーザにその中の一つを選択させて検索することができる。
【０１０３】
たとえば、ユーザが入力ウィンドウに照会単語「ａ」を入力し、提供装置により取得された拡張照会単語が「ｂ」と「ｃ」である場合、提供装置は、入力ウィンドウに「ａ＋ｂ」、「ａ＋ｃ」と「ａ＋ｂ＋ｃ」の３つの検索推薦情報を提供することにより、ユーザにその中の一つを選択させて検索するようにする。
【０１０４】
なお、上述した例示は、単に本発明の技術的方策をよく説明するためのものだけで、本発明を限定するためのものではない。当該技術分野の当業者は、上記検索要求情報に基づいて、相応の検索推薦情報を提供する任意の実現方法は、すべて本発明の範囲内に含まれることを理解しなければならない。
【０１０５】
本発明よれば、ユーザ装置中の情報ストリームデータに基づいて、ユーザの検索要求を確定し、相応の検索推薦情報を提供して、取得した検索推薦情報がその現在の検索ニーズにさらに適合されるようにする。これにより、ユーザが入力した検索情報のみに基づいて検索を行う従来の方法から脱して、検索効率を向上させ、推薦情報の正確性を向上させることができる。また、本発明に係る形態として、情報ストリームデータを整理することにより、ユーザの検索要求を確定することに便利を提供することができる。
【０１０６】
本発明のソフトウェアプログラムは、上述したステップや機能を実現するために、プロセッサによって実行されることができる。同様に、本発明のソフトウェアプログラム（関連するデータ構造を含む）は、ＲＡＭ、記憶装置、磁気または光学ドライブまたはフロッピーディスクなどのコンピュータ読み取り可能な記録媒体に記憶することができる。また、本発明の一部のステップまたは機能は、ハードウェアを利用して実現することができ、例えば、プロセッサと協力して、各機能またはステップを実行する回路で実現することができる。
【０１０７】
また、本発明の一部は、コンピュータプログラム製品、例えば、コンピュータプログラムコマンドに適用されることができ、これがコンピュータによって実行される場合には、そのコンピュータの操作によって、本発明に係る方法および／または技術的方案を呼び出したり提供することができる。本発明の方法を呼び出すプログラムのコマンドは、固定式の記録媒体または移動可能な記録媒体に記憶することができ、および／または放送またはその他の信号搭載媒体中のデータストリームを介して送信されることができ、および／または上記プログラムコマンドによって運行されているコンピュータ装置の運行記憶装置に記憶することができる。ここで、本発明に係る一実施例は、一つの装置を含み、その装置は、コンピュータプログラムコマンドを格納するための記憶装置と、そのプログラムのコマンドを実行するためのプロセッサを含み、そのコンピュータプログラムコマンドは、そのプロセッサによって実行される場合、その装置が前述した本発明の複数の実施形態による方法および／または技術的方策を運行するように誘発する。
【０１０８】
当業者であれば、本発明は、上述した例示的実施形態の詳細に限定されず、本発明の主旨または基本特徴を違反せず他の具体的な形式で実現することができることが自明である。したがって、どのような方面でも、実施例はすべて例示的で、非限定的なものとみなされるべきで、本発明の範囲は、上述した説明によって限定されるものではなく、添付された特許請求の範囲によって限定される。したがって、特許請求の範囲の均等な要素の意味と範囲内に属するすべての変更は、すべて本発明に含まれる。特許請求の範囲中の任意の図面符号が関連請求項を限定するものとみなさならない。また、「含む」という用語は他のユニットまたはステップを排除しなく、単数表現は複数表現を排除しないことが自明である。システムの請求項に示された複数のユニットまたは装置は、ソフトウェアまたはハードウェアを使用して、単一のユニットまたは装置で実現されることもできる。第１、第２などの用語は、名称を表示するだけで、任意の特定の順序を表示するものではない。
【手続補正２】
【補正対象書類名】特許請求の範囲
【補正対象項目名】全文
【補正方法】変更
【補正の内容】
【特許請求の範囲】
【請求項１】
検索推薦情報を提供するための方法であって、
ユーザがユーザ装置上で検索を行う場合に、前記ユーザに対応する検索参照情報を取得するステップであって、前記検索参照情報は、ユーザ装置内の１つまたは複数のアプリケーションに対応する情報ストリームデータを含む、ステップと、
前記検索参照情報に基づいて、前記ユーザに対応する検索要求情報を確定するステップと、
前記検索要求情報に基づいて、相応の検索推薦情報を提供するステップとを含むことを特徴とする検索推薦情報を提供するための方法。
【請求項２】
前記ユーザ装置で生成された１つまたは複数の情報ストリームデータを収集し、前記１つまたは複数の情報ストリームデータに基づいて、相応の検索参照情報を取得し記憶するステップをさらに含むことを特徴とする請求項１に記載の検索推奨情報を提供するための方法。
【請求項３】
前記ユーザ装置で生成された１つまたは複数の情報ストリームデータを収集するステップは、
ユーザの権限付与設定操作を取得し、ユーザ権限が付与された場合に、前記ユーザ装置で生成された１つまたは複数の情報ストリームデータを収集するステップを含むことを特徴とする請求項２に記載の検索推薦情報を提供するための方法。
【請求項４】
所定のフォーム情報に基づいて、収集された各情報ストリームデータを整理して、前記各情報ストリームデータに対応するラベル情報を取得して検索参照情報とする、ステップをさらに含むことを特徴とする請求項２又は請求項３に記載の検索推薦情報を提供するための方法。
【請求項５】
前記ラベル情報は、
時間情報、
類別情報、
ソース情報、
内容の要約情報、および
意図情報のうち少なくとも一つの情報を含むことを特徴とする請求項４に記載の検索推薦情報を提供するための方法。
【請求項６】
前記検索参照情報に基づいて、前記ユーザに対応する検索要求情報を確定するステップは、
前記ユーザのユーザ関連情報と前記検索参照情報に基づいて、前記ユーザに対応する検索要求情報を確定するステップを含むことを特徴とする請求項１に記載の検索推薦情報を提供するための方法。
【請求項７】
前記検索参照情報に基づいて、前記ユーザに対応する検索要求情報を確定するステップは、
前記ユーザに対応する検索要求情報として、前記検索参照情報から１つまたは複数のキーワードを抽出するステップを含むことを特徴とする請求項１に記載の検索推薦情報を提供するための方法。
【請求項８】
前記検索参照情報に基づいて、前記ユーザに対応する検索要求情報を確定するステップは、
複数の候補検索要求情報を取得した場合に、所定の重み算出ルールに基づいて、各候補検索要求の重み情報を算出するステップと、
前記各候補検索要求の重み情報に基づいて、各候補検索要求情報に対して順序配列を行い、配列された順序が前である少なくとも一つの候補検索要求情報を選択するステップとを含むことを特徴とする請求項１に記載の検索推奨情報を提供するための方法。
【請求項９】
前記検索要求情報に基づいて、相応の検索推薦情報を提供するステップは、
前記検索要求情報に基づいて、前記検索要求情報に対応する１つまたは複数の拡張照会情報を確定するステップと、
前記１つまたは複数の拡張照会情報に基づいて検索を行って、相応の検索推薦情報を取得するステップとを含むことを特徴とする請求項１に記載の検索推薦情報を提供するための方法。
【請求項１０】
前記検索要求情報に基づいて、前記検索要求情報に対応する１つまたは複数の拡張照会情報を確定するステップは、
ユーザが選択するように、前記１つまたは複数の拡張照会情報を前記ユーザに提供するステップを含み、
前記１つまたは複数の拡張照会情報に基づいて検索を行って、相応の検索推薦情報を取得するステップは、
ユーザにより選択された拡張照会情報に基づいて検索を行って、相応の検索推薦情報を取得するステップを含むことを特徴とする請求項９に記載の検索推薦情報を提供するための方法。
【請求項１１】
検索推薦情報を提供するための提供装置であって、
ユーザがユーザ装置上で検索を行う場合に、前記ユーザに対応する検索参照情報を取得するように構築される装置であって、前記検索参照情報は、ユーザ装置内の１つまたは複数のアプリケーションに対応する情報ストリームデータを含む、装置と、
前記検索参照情報に基づいて、前記ユーザに対応する検索要求情報を確定するように構築された装置と、
前記検索要求情報に基づいて、相応の検索推薦情報を提供するように構築された装置とを含むことを特徴とする検索推薦情報を提供するための提供装置。
【請求項１２】
前記ユーザ装置で生成された１つまたは複数の情報ストリームデータを収集し、前記１つまたは複数の情報ストリームデータに基づいて、相応の検索参照情報を取得し記憶するように構築された装置をさらに含むことを特徴とする請求項１１に記載の提供装置。
【請求項１３】
前記ユーザ装置で生成された１つまたは複数の情報ストリームデータを収集し、前記１つまたは複数の情報ストリームデータに基づいて、相応の検索参照情報を取得して記憶するように構築された装置は、
ユーザの権限付与設定操作を取得し、ユーザ権限が付与された場合に、前記ユーザ装置で生成された１つまたは複数の情報ストリームデータを収集するように構築された装置を含むことを特徴とする請求項１２に記載の提供装置。
【請求項１４】
所定のフォーム情報に基づいて、収集された各情報ストリームデータを整理して、前記各情報ストリームデータに対応するラベル情報を取得して検索参照情報とする、ように構築された装置をさらに含むことを特徴とする請求項１２又は第１３項に記載の提供装置。
【請求項１５】
前記ラベル情報は、
時間情報、
類別情報、
ソース情報、
内容の要約情報、および
意図情報のうち少なくとも一つの情報を含むことを特徴とする請求項１４に記載の提供装置。
【請求項１６】
前記検索参照情報に基づいて、前記ユーザに対応する検索要求情報を確定するように構築された装置は、
前記ユーザのユーザ関連情報と前記検索参照情報に基づいて、前記ユーザに対応する検索要求情報を確定するように、さらに構築されることを特徴とする請求項１１に記載の提供装置。
【請求項１７】
前記検索参照情報に基づいて、前記ユーザに対応する検索要求情報を確定するように構築された装置は、
前記ユーザに対応する検索要求情報として、前記検索参照情報から１つまたは複数のキーワードを抽出するように、さらに構築されることを特徴とする請求項１１に記載の提供装置。
【請求項１８】
前記検索参照情報に基づいて、前記ユーザに対応する検索要求情報を確定するように構築された装置は、
複数の候補検索要求情報を取得する場合に、所定の重み算出ルールに基づいて、各候補検索要求の重み情報を算出するように構築された装置と、
前記各候補検索要求の重み情報に基づいて、各候補検索要求情報に対して順序配列を行い、配列された順序が前である少なくとも一つの候補検索要求情報を選択するように構築された装置とを含むことを特徴とする請求項１１に記載の提供装置。
【請求項１９】
前記検索要求情報に基づいて、相応の検索推薦情報を提供するように構築された装置は、
前記検索要求情報に基づいて、前記検索要求情報に対応する１つまたは複数の拡張照会情報を確定するように構築された装置と、
前記１つまたは複数の拡張照会情報に基づいて検索を行って、相応の検索推薦情報を取得するように構築された装置とを含むことを特徴とする請求項１１に記載の提供装置。
【請求項２０】
前記検索要求情報に基づいて、前記検索要求情報に対応する１つまたは複数の拡張照会情報を確定するように構築された装置は、
ユーザが選択するように、前記１つまたは複数の拡張照会情報を前記ユーザに提供するように構築された装置を含み、
前記１つまたは複数の拡張照会情報に基づいて検索を行って、相応の検索推薦情報を取得するように構築された装置は、
ユーザにより選択された拡張照会情報に基づいて検索を行って、相応の検索推薦情報を取得するように、構築されることを特徴とする請求項１９に記載の提供装置。
【請求項２１】
コンピュータコードが記憶されているコンピュータ読み取り可能な媒体であって、
前記コンピュータコードが実行される場合には、請求項１から請求項１０のうちいずれか１項に記載の方法が実行されることを特徴とするコンピュータ読み取り可能な媒体。
【請求項２２】
コンピュータ装置により実行されると、請求項１から請求項１０のうちいずれか１項に記載の方法を実現することを特徴とするコンピュータプログラム。
【請求項２３】
記憶装置と、
プロセッサとを含み、
前記記憶装置には、コンピュータコードが記憶され、
前記プロセッサは、前記コンピュータコードを実行して、請求項１から請求項１０のうちいずれか１項に記載の方法を実行するように構築されることを特徴とするコンピュータ装置。
【国際調査報告】
2019511792.tif 000005
2019511792.tif 000006
2019511792.tif 000007
2019511792.tif 000008